(57)【要約】【課題】リニューアルにかかるコストを低減することが可能な照明器具を提供する。【解決手段】埋込孔Ｈ１と埋込孔Ｈ１より幅寸法が小さい埋込孔Ｈ２とに設置可能な埋込型ベースライト１の器具本体３である。器具本体３は、光源ユニット２を保持するための保持部４と、埋込孔Ｈ１の幅寸法Ｗ１より大きな幅Ｗ０を有し、器具本体３が埋込孔Ｈ１に設置されたときに埋込孔Ｈ１を覆う本体部５と、を備えている。本体部５の幅方向Ｗの一側及び他側の端縁近傍部には、器具本体３が埋込孔Ｈ１に設置されたときに埋込孔Ｈ１の内部に進入可能な高さｈ１を有する突起Ｐ１が少なくとも一つずつ立設されている。一側における突起Ｐ１の幅方向外側端と、他側における突起Ｐ１の幅方向外側端との間の幅方向Ｗにおける距離ＤＷ１は、埋込孔Ｈ１の幅寸法Ｗ１に対応している。突起Ｐ１は、各々、器具本体３が埋込孔Ｈ２に設置されたときに埋込孔Ｈ２の周縁部に干渉しない高さになるまで折り曲げ可能、または、本体部５から取り外し可能である。【選択図】図２
2019016552.tif 000002
【特許請求の範囲】
【請求項１】
第１埋込孔と前記第１埋込孔より幅寸法が小さい第２埋込孔とに設置可能な埋込型照明器具の器具本体であって、
光源ユニットを保持するための保持部と、
前記第１埋込孔の幅寸法より大きな幅を有し、前記器具本体が前記第１埋込孔に設置されたときに前記第１埋込孔を覆う本体部と、
を備え、
前記本体部の幅方向の一側及び他側の端縁近傍部には、前記器具本体が前記第１埋込孔に設置されたときに前記第１埋込孔の内部に進入可能な高さを有する第１突起が少なくとも一つずつ立設されており、
前記一側における前記第１突起の幅方向外側端と、前記他側における前記第１突起の幅方向外側端との間の前記幅方向における距離は、前記第１埋込孔の幅寸法に対応しており、
前記第１突起は、各々、前記器具本体が前記第２埋込孔に設置されたときに前記第２埋込孔の周縁部に干渉しない高さになるまで折り曲げ可能、または、前記本体部から取り外し可能であることを特徴とする器具本体。
【請求項２】
前記一側及び他側の前記端縁近傍部における前記第１突起より幅方向内側の位置には、前記器具本体が前記第２埋込孔に設置されたときに前記第２埋込孔の内部に進入可能な高さを有する第２突起が少なくとも１つずつ立設されており、
前記一側における前記第２突起の幅方向外側端と、前記他側における前記第２突起の幅方向外側端との間の前記幅方向における距離は、前記第２埋込孔の幅寸法に対応しており、
前記第２突起は、各々、前記器具本体が前記第２埋込孔より幅寸法が小さい第３埋込孔に設置されたときに前記第３埋込孔の周縁部に干渉しない高さになるまで折り曲げ可能、または、前記本体部から取り外し可能であることを特徴とする請求項１に記載の器具本体。
【請求項３】
前記第１突起及び前記第２突起は、各々、前記本体部の幅方向に沿って延びる板状であることを特徴とする請求項２に記載の器具本体。
【請求項４】
前記第１突起と前記第２突起とが、前記本体部の幅方向に互いに隣り合って配置されていることを特徴とする請求項２または３に記載の器具本体。
【請求項５】
第４埋込孔と前記第４埋込孔より内径が小さい第５埋込孔とに設置可能な埋込型の照明器具であって、
前記第４埋込孔の内径より大きい外径を有し、前記第４埋込孔に設置されたときに前記第４埋込孔を覆う本体部と、
前記本体部に固定された光源部と、
を備え、
前記本体部の径方向外側の端縁近傍部には、前記照明器具が前記第４埋込孔に設置されたときに前記第４埋込孔の内部に進入可能な高さを有する第３突起が、前記本体部の周方向に間隔をあけて複数立設されており、
各第３突起の径方向外側端から前記本体部の径方向中心までの距離は、前記第４埋込孔の半径に対応しており、
前記第３突起は、各々、前記照明器具が前記第５埋込孔に設置されたときに前記第５埋込孔の周縁部と干渉しない高さになるまで折り曲げ可能、または、前記本体部から取り外し可能であることを特徴とする照明器具。
【請求項６】
前記端縁近傍部における前記第３突起より径方向内側の位置には、前記照明器具が前記第５埋込孔に設置されたときに前記第５埋込孔の内部に進入可能な高さを有する第４突起が、前記本体部の周方向に間隔をあけて複数立設されており、
各第４突起の径方向外側端から前記本体部の径方向中心までの距離は、前記第５埋込孔の半径に対応しており、
前記第４突起は、各々、前記照明器具が前記第５埋込孔より内径が小さい第６埋込孔に設置されたときに前記第６埋込孔の周縁部に干渉しない高さになるまで折り曲げ可能、または、前記本体部から取り外し可能であることを特徴とする請求項５に記載の照明器具。
【請求項７】
前記第３突起及び前記第４突起は、各々、前記本体部の径方向に沿って延びる板状であることを特徴とする請求項６に記載の照明器具。
【請求項８】
前記第３突起と前記第４突起とが、前記本体部の径方向に互いに隣り合って配置されていることを特徴とする請求項６または７に記載の照明器具。
【請求項９】
前記第４埋込孔または前記第５埋込孔に前記照明器具を固定するための板ばねが、前記第３突起または前記第４突起に着脱可能に取り付けられていることを特徴とする請求項６乃至８のいずれか一項に記載の照明器具。
【発明の詳細な説明】
【技術分野】
【０００１】
本開示は、天井等に形成された埋込孔に設置される照明器具、特にリニューアルに適した埋込型の照明器具に関する。
【背景技術】
【０００２】
特許文献１は、予め照明器具を取り付けたリニューアルプレートを天井の照明器具取付孔に装着することで、照明器具を当該取付孔に取り付ける埋込型の照明器具を開示している。
【先行技術文献】
【特許文献】
【０００３】
【特許文献１】特開２０１２−１９５１４６号公報
【発明の概要】
【発明が解決しようとする課題】
【０００４】
しかしながら、上記照明器具では、照明器具を照明器具取付孔に取り付けるために、リニューアルプレートを使用する必要があり、これがリニューアルにかかるコストを上昇させる要因となっていた。
【０００５】
本開示は、このような従来技術の有する課題に鑑みてなされたものである。そして、本開示の目的は、リニューアルにかかるコストを低減することが可能な照明器具を提供することにある。
【課題を解決するための手段】
【０００６】
本開示の一態様は、第１埋込孔と第１埋込孔より幅寸法が小さい第２埋込孔とに設置可能な埋込型照明器具の器具本体である。器具本体は、光源ユニットを保持するための保持部と、第１埋込孔の幅寸法より大きな幅を有し、器具本体が第１埋込孔に設置されたときに第１埋込孔を覆う本体部と、を備えている。本体部の幅方向の一側及び他側の端縁近傍部には、器具本体が第１埋込孔に設置されたときに第１埋込孔の内部に進入可能な高さを有する第１突起が少なくとも一つずつ立設されている。一側における第１突起の幅方向外側端と、他側における第１突起の幅方向外側端との間の幅方向における距離は、第１埋込孔の幅寸法に対応している。第１突起は、各々、器具本体が第２埋込孔に設置されたときに第２埋込孔の周縁部に干渉しない高さになるまで折り曲げ可能、または、本体部から取り外し可能である。
【０００７】
本開示の他の一態様は、第４埋込孔と第４埋込孔より内径が小さい第５埋込孔とに設置可能な埋込型の照明器具である。照明器具は、第４埋込孔の内径より大きい外径を有し、第４埋込孔に設置されたときに第４埋込孔を覆う本体部と、本体部に固定された光源部と、を備えている。本体部の径方向外側の端縁近傍部には、照明器具が第４埋込孔に設置されたときに第４埋込孔の内部に進入可能な高さを有する第３突起が、本体部の周方向に間隔をあけて複数立設されている。各第３突起の径方向外側端から本体部の径方向中心までの距離は、第４埋込孔の半径に対応している。第３突起は、各々、照明器具が第５埋込孔に設置されたときに第５埋込孔の周縁部と干渉しない高さになるまで折り曲げ可能、または、本体部から取り外し可能である。
【発明の効果】
【０００８】
本開示によれば、リニューアルにかかるコストを低減することが可能な照明器具を提供することができる。
【図面の簡単な説明】
【０００９】
【図１】第１実施形態にかかる埋込型ベースライトの側面図である。
【図２】図１のベースライトの前面図である。
【図３】図１のベースライトの平面図である。
【図４】図１のベースライトの設置方法を説明する図である。
【図５】第２実施形態にかかる埋込型ダウンライトの側面図である。
【図６】図５のダウンライトの平面図である。
【図７】図５のダウンライトの設置方法を説明する図である。
【図８】図６のＶＩＩＩ部拡大図である。
【発明を実施するための形態】
【００１０】
＜第１実施形態＞
以下、図１乃至図４を参照しながら第１実施形態にかかる埋込型ベースライト１について説明する。
【００１１】
埋込型ベースライト１は、図１及び図２に示すように、例えば天井面Ｃに設けられた既存の埋込孔Ｈに設置される。埋込孔Ｈは、天井面Ｃを構成する板材に設けられた貫通孔であり、その開口の形状は、例えば矩形状等である。埋込孔Ｈの幅は、特に限定されないが、典型的には、例えば１９０ｍｍ、２２０ｍｍ、３００ｍｍ等の所定の幅寸法に設定されている。埋込孔Ｈは、幅方向と直交する方向に長手方向を有し、その埋込孔Ｈの長さは、特に限定されないが、典型的には、例えば１２３５ｍｍ、１２５７ｍｍ等の所定の長さ寸法に設定されている。
【００１２】
天井面Ｃを構成する板材の裏側には、図示しないＣチャンネル、Ｍバー等の天井支持金具が設けられており、天井支持金具には、吊りボルトＢが垂設されている。ベースライト１は、下方から埋込孔Ｈに装着され、吊りボルトＢに固定される。
【００１３】
ベースライト１は、後述するように、互いに幅寸法が異なる４種類の埋込孔Ｈに設置することができる。具体的には、図３及び図４に示すように、幅寸法Ｗ１を有する埋込孔Ｈ１、幅寸法Ｗ２を有する埋込孔Ｈ２、幅寸法Ｗ３を有する埋込孔Ｈ３、及び、幅寸法Ｗｎを有する埋込孔Ｈｎである。幅寸法Ｗ１，Ｗ２，Ｗ３，Ｗｎは、この順に小さくなる（Ｗ１＞Ｗ２＞Ｗ３＞Ｗｎ）。
【００１４】
ベースライト１は、主として、棒状のＬＥＤ灯などの長尺の光源ユニット２と、器具本体３とから構成されている。
【００１５】
器具本体３は、図１乃至図３に示すように、平面視において長尺矩形状を有している。ベースライト１を埋込孔Ｈ１，Ｈ２，Ｈ３に設置したとき、器具本体３の幅方向Ｗは、埋込孔Ｈ１，Ｈ２，Ｈ３の幅方向と略平行になり、器具本体３の長手方向Ｌは、埋込孔Ｈ１，Ｈ２，Ｈ３の長手方向と略平行になる。
【００１６】
器具本体３の幅方向Ｗの中央部には、光源ユニット２を着脱自在に保持するための保持部４が設けられている。保持部４に保持された光源ユニット２は、器具本体３の略全長に渡って、器具本体３の長手方向に沿って延在する。
【００１７】
器具本体３の本体部５は、例えば金属製の薄板等から構成され、ベースライト１の反射板を構成する反射板部６と、平面視において反射板部６を取り囲むように設けられたフランジ部７とを備えている。
【００１８】
反射板部６は、保持部４に保持された光源ユニット２を幅方向Ｗに挟むように、幅方向Ｗの一側と他側とに配置されている。反射板部６の下面（表面）は、器具本体３の幅方向Ｗの中心側に向かうに従って埋込孔Ｈの奥側（上方）に位置するように傾斜している。
【００１９】
フランジ部７は、器具本体３の長手方向Ｌに垂直な断面において、反射板部６の下端縁から幅方向外方へ延びている。フランジ部７は、器具本体３を埋込孔Ｈ１，Ｈ２，Ｈ３，Ｈｎに設置した状態において、天井面Ｃと略平行になるように延在している。フランジ部７の下面（表面）は、意匠面を構成している。
【００２０】
フランジ部７は、図２及び図４に示すように、主面部８と、側壁部９とを有している。主面部８は、器具本体３を埋込孔Ｈ１，Ｈ２，Ｈ３，Ｈｎに設置した状態において、天井面Ｃまたは埋込孔Ｈ１，Ｈ２，Ｈ３，Ｈｎの開口面と略平行に延びるように形成されている。側壁部９は、器具本体３を埋込孔Ｈ１，Ｈ２，Ｈ３，Ｈｎに設置した状態において、主面部８の幅方向外側端縁から天井面Ｃに向かう方向（上方）に延びるように形成されている。側壁部９は、平面視において主面部８を取り囲むように設けられている。器具本体３を埋込孔Ｈ１，Ｈ２，Ｈ３，Ｈｎに設置したとき、側壁部９の上端部９ａは、天井面Ｃに当接し、主面部８は、埋込孔Ｈの外側（下側）に位置する。なお、フランジ部７の形状は、図示したものに限らない。例えば、主面部８は、器具本体３を埋込孔Ｈ１，Ｈ２，Ｈ３，Ｈｎに設置した状態において、天井面Ｃまたは埋込孔Ｈ１，Ｈ２，Ｈ３，Ｈｎの開口面に対して傾斜していてもよいし、曲面状であってもよい。
【００２１】
図２に示すように、幅方向一側の側壁部９の外側面から他側の側壁部９の外側面までの距離、すなわち、本体部５の幅Ｗ０は、幅寸法Ｗ１より大きい。よって、本体部５は、埋込孔Ｈ１に設置されたときに埋込孔Ｈ１を埋込孔Ｈ１の幅方向に覆うことができる。長手方向Ｌ一側の側壁部９外側面から他側の側壁部９外側面までの距離、すなわち、本体部５の長さＬ０は、埋込孔Ｈ１，Ｈ２，Ｈ３，Ｈｎの長さ寸法Ｌ１，Ｌ２，Ｌ３，Ｌｎより大きい。よって、本体部５は、埋込孔Ｈ１，Ｈ２，Ｈ３，Ｈｎに設置されたときに埋込孔Ｈ１，Ｈ２，Ｈ３，Ｈｎをその長手方向に覆うことができる。
【００２２】
図３に示すように、幅方向一側のフランジ部７の主面部８の裏面（上面）は、領域ＲＧ１と領域ＲＧ２と領域ＲＧ３とを含んでいる。また、幅方向他側のフランジ部７の主面部８の裏面（上面）も、領域ＲＧ１と領域ＲＧ２と領域ＲＧ３とを含んでいる。領域ＲＧ１，ＲＧ２，ＲＧ３は、各々、本体部５の長手方向Ｌに沿って延びる帯状の領域である。領域ＲＧ１は、領域ＲＧ２より幅方向外側に、領域ＲＧ２と隣接して設けられており、領域ＲＧ２は、領域ＲＧ３より幅方向外側に、領域ＲＧ３と隣接して設けられている。
【００２３】
領域ＲＧ１は、器具本体３が埋込孔Ｈ１に設置されたときに埋込孔Ｈ１の開口と上下方向に対向する一方で、器具本体３が埋込孔Ｈ２，Ｈ３に設置されたときに、それぞれ埋込孔Ｈ２，Ｈ３の周縁部の下面と上下方向に対向する。領域ＲＧ２は、器具本体３が埋込孔Ｈ１，Ｈ２に設置されたときに、それぞれ埋込孔Ｈ１，Ｈ２の開口と上下方向に対向する一方で、器具本体３が埋込孔Ｈ３に設置されたときに埋込孔Ｈ３の周縁部の下面と上下方向に対向する。領域ＲＧ３は、器具本体３が埋込孔Ｈ１，Ｈ２，Ｈ３に設置されたときに、それぞれ埋込孔Ｈ１，Ｈ２，Ｈ３の開口と上下方向に対向する。
【００２４】
図３に示すように、一側及び他側の領域ＲＧ１には、各２つずつ（計４つ）、突起Ｐ１が立設されている。一側及び他側の領域ＲＧ２にも、各２つずつ（計４つ）、突起Ｐ２が立設され、一側及び他側の領域ＲＧ３にも、各２つずつ（計４つ）、突起Ｐ３が立設されている。一側または他側の一つの領域上の２つの突起は、フランジ部７の長手方向Ｌ両端部に各１つずつ配置されている。
【００２５】
図３に示すように、幅方向一側における突起Ｐ１，Ｐ２，Ｐ３は、互いに幅方向Ｗに隣り合うように配置されている。また、幅方向他側における突起Ｐ１，Ｐ２，Ｐ３も、互いに幅方向Ｗに隣り合うように配置されている。
【００２６】
また、突起Ｐ１，Ｐ２，Ｐ３は、それぞれ板状であり、各々、平面視において本体部５の幅方向Ｗに沿って延びている。
【００２７】
図４（ａ）に示すように、突起Ｐ１は、器具本体３が埋込孔Ｈ１に設置されたときに埋込孔Ｈ１の内部に進入可能な高さｈ１を有している。図４（ｂ）（ｃ）に示すように、突起Ｐ２は、器具本体３が埋込孔Ｈ２に設置されたときに埋込孔Ｈ２の内部に進入可能な高さｈ１を、突起Ｐ３は、器具本体３が埋込孔Ｈ３に設置されたときに埋込孔Ｈ３の内部に進入可能な高さｈ１を有している。突起Ｐ１，Ｐ２，Ｐ３が折り曲げられていない状態において、それらの上端部は、側壁部９の上端部９ａよりも上方に突出している。
【００２８】
図４（ａ）に示すように、一側における突起Ｐ１の幅方向外側端と他側における突起Ｐ１の幅方向外側端との間の幅方向Ｗにおける距離ＤＷ１は、埋込孔Ｈ１の幅寸法Ｗ１に対応している。突起Ｐ１は、器具本体３が埋込孔Ｈ１に設置されたとき、突起Ｐ１の幅方向外側端と埋込孔Ｈ１の内側側面との間に各部材の寸法誤差を吸収するための所定の隙間ＧＷ１が形成されるように配置されている。
【００２９】
図４（ｂ）に示すように、一側における突起Ｐ２の幅方向外側端と他側における突起Ｐ２の幅方向外側端との間の幅方向Ｗにおける距離ＤＷ２は、埋込孔Ｈ２の幅寸法Ｗ２に対応している。突起Ｐ２は、器具本体３が埋込孔Ｈ２に設置されたとき、突起Ｐ２の幅方向外側端と埋込孔Ｈ２の内側側面との間に各部材の寸法誤差を吸収するための所定の隙間ＧＷ２が形成されるように配置されている。
【００３０】
図４（ｃ）に示すように、一側における突起Ｐ３の幅方向外側端と他側における突起Ｐ３の幅方向外側端との間の幅方向Ｗにおける距離ＤＷ３は、埋込孔Ｈ３の幅寸法Ｗ３に対応している。突起Ｐ３は、器具本体３が埋込孔Ｈ３に設置されたとき、突起Ｐ３の幅方向外側端と埋込孔Ｈ３の内側側面との間に各部材の寸法誤差を吸収するための所定の隙間ＧＷ３が形成されるように配置されている。
【００３１】
従って、突起Ｐ１は、器具本体３を埋込孔Ｈ１に設置する場合の幅方向Ｗの位置をガイドする位置決めガイドとして機能する。突起Ｐ２，Ｐ３は、それぞれ埋込孔Ｈ２，Ｈ３に器具本体３を設置する場合の幅方向Ｗの位置をガイドする位置決めガイドとして機能する。
【００３２】
突起Ｐ１，Ｐ２，Ｐ３は、手でまたはペンチ等の工具を使用して幅方向Ｗと直交する方向（長手方向Ｌ）に折り曲げ可能である。突起Ｐ１，Ｐ２，Ｐ３は、例えば鉄、アルミ、銅など金属製の矩形状薄板をＬ字状に折り曲げ、一方の側面をフランジ部７の主面部８の裏面に溶接、ロウ付け、接着等することで形成することができる。
【００３３】
図４（ｂ）（ｃ）（ｄ）に示すように、折り曲げられた状態での突起Ｐ１，Ｐ２，Ｐ３の高さは、側壁部９より低くなる。折り曲げた状態の突起Ｐ１は、埋込孔Ｈ２，Ｈ３，Ｈｎの周縁部と干渉しない。折り曲げた状態の突起Ｐ２は、埋込孔Ｈ３，Ｈｎの周縁部と干渉せず、折り曲げた状態の突起Ｐ３は、埋込孔Ｈｎの周縁部と干渉しない。
【００３４】
天井面Ｃの埋込孔Ｈ１にベースライト１を設置する場合は、まず、器具本体３に設けられた図示しない電源穴に既存の電源線等を引き込んだ状態で、器具本体３を下方から埋込孔Ｈ１に挿入する。そして、フランジ部７を埋込孔Ｈ１の周縁部の下面に押し当て、突起Ｐ１を埋込孔Ｈ１の内部に進入させた状態で、器具本体３の位置決めを行う。位置決め後、器具本体３を吊りボルトＢで固定する。その後、電源線等の接続を行い、光源ユニット２を取り付ける。光源ユニット２は、下方から器具本体３の中央部に挿入し、保持部４に保持させる。
【００３５】
埋込孔Ｈ２にベースライト１を設置する場合は、突起Ｐ１を折り曲げた状態にしてから、器具本体３を下方から埋込孔Ｈ２に挿入する。そして、フランジ部７を埋込孔Ｈ２の周縁部の下面に押し当て、突起Ｐ２を埋込孔Ｈ２の内部に進入させた状態で、器具本体３の位置決めを行う。また、埋込孔Ｈ３にベースライト１を設置する場合は、突起Ｐ１及び突起Ｐ２を折り曲げた状態にしてから、器具本体３を下方から埋込孔Ｈ３に挿入する。そして、フランジ部７を埋込孔Ｈ３の周縁部の下面に押し当て、突起Ｐ３を埋込孔Ｈ３の内部に進入させた状態で、器具本体３の位置決めを行う。他の手順は、埋込孔Ｈ１に設置する場合と同様であるので説明を省略する。
【００３６】
また、埋込孔Ｈｎにベースライト１を設置することもできる。この場合は、突起Ｐ１，Ｐ２，Ｐ３を折り曲げた状態にしてから、器具本体３を下方から埋込孔Ｈｎに挿入する。そして、フランジ部７を埋込孔Ｈの周縁部の下面に押し当て、反射板部６の裏面の幅方向外側端部を位置決めガイドとして器具本体３の位置決めを行う。他の手順は、埋込孔Ｈ１に設置する場合と同様であるので説明を省略する。
【００３７】
以下、本実施形態の作用効果について説明する。
【００３８】
器具本体３が埋込孔Ｈ１に挿入されると、一側及び他側の領域ＲＧ１に立設された突起Ｐ１が埋込孔Ｈ１の内部に進入する。一側及び他側の突起Ｐ１の幅方向外側端同士の間の幅方向Ｗにおける距離ＤＷ１は、埋込孔Ｈ１の幅寸法Ｗ１に対応しているので、埋込孔Ｈ１に対する器具本体３の幅方向位置を突起Ｐ１によってガイドすることができる。これにより、埋込孔Ｈ１に対する器具本体３の位置決めが容易になる。
【００３９】
また、一側及び他側の突起Ｐ１は、器具本体３が埋込孔Ｈ２，Ｈ３，Ｈｎに設置されたときに埋込孔Ｈ２，Ｈ３，Ｈｎの周縁部に干渉しない高さになるまで折り曲げ可能である。従って、突起Ｐ１を折り曲げることで、より幅寸法が小さい埋込孔に器具本体３を設置することが可能になる。
【００４０】
このように、本実施形態によれば、リニューアルプレートを使用することなく、幅寸法の異なる埋込孔Ｈに共通して器具本体３を設置することが可能になるので、部品点数を削減することができる。また、リニューアル工事において、リニューアルプレートを予め既存の埋込孔Ｈまたは器具本体３に取り付けておく必要もなくなるので、施工時間を短縮することができる。これにより、リニューアルにかかるコストを低減することができる。また、天井面Ｃと器具本体３との間にリニューアルプレートが介在しなくなるので、設置後の意匠性も向上する。
【００４１】
また、本実施形態によれば、突起Ｐ１を折り曲げれば、突起Ｐ２により、埋込孔Ｈ２に対する器具本体３の幅方向位置の位置決めを行うことができる。また、突起Ｐ２を折り曲げることで、より幅寸法が小さい埋込孔Ｈ３にも器具本体３を設置することができる。同様に、突起Ｐ１及び突起Ｐ２を折り曲げれば、突起Ｐ３により、埋込孔Ｈ３に対する器具本体３の幅方向位置の位置決めを行うことができる。また、突起Ｐ３を折り曲げることで、より幅寸法が小さい埋込孔Ｈｎにも器具本体３を設置することができる。
【００４２】
さらに、本実施形態では、突起Ｐ１，Ｐ２，Ｐ３のいずれかを現場で選択して折り曲げることで、器具本体３を既存の埋込孔Ｈに適合させることができるので、現場合わせが容易になり、施工性が向上する。これにより、事前の現場調査を簡略化または省略できる。
【００４３】
また、本実施形態では、一側及び他側の突起Ｐ１，Ｐ２，Ｐ３は、それぞれ板状であり、各々、本体部５の幅方向Ｗに沿って延びている。従って、突起Ｐ１，Ｐ２，Ｐ３の幅方向Ｗと直交する方向への折り曲げが容易になる。また、突起Ｐ１，Ｐ２，Ｐ３の幅方向Ｗの荷重に対する強度が向上するため、施工時の位置決め作業において突起Ｐ１，Ｐ２，Ｐ３が破損することを防止することができる。
【００４４】
さらに、本実施形態では、突起Ｐ１，Ｐ２，Ｐ３が、互いに本体部５の幅方向Ｗに隣り合って配置されている。これにより、端から何番目の突起が折り曲げられているかを目視で容易に把握することができるので、現場合わせの際の作業効率が向上する。
【００４５】
＜変形例＞
突起Ｐ１，Ｐ２，Ｐ３は、手でまたはペンチ等の工具を使用して本体部５から取り外すことが可能なものとしてもよい。このような変形例においても、第１実施形態と同様の作用効果を得ることができる。
【００４６】
この変形例にかかる突起は、第１実施形態の突起Ｐ１，Ｐ２，Ｐ３を、手でまたはペンチ等の工具を使用して曲げ破断させることが可能な強度を有する材料（例えば樹脂）から形成し、これをフランジ部７の主面部８の裏面に接着等することで実現できる。変形例にかかる突起Ｐ１，Ｐ２，Ｐ３の立設部の基端には、切欠きを設けてもよい。これにより突起Ｐ１，Ｐ２，Ｐ３が根元から除去されるようにすることができる。また、第１実施形態の突起Ｐ１，Ｐ２，Ｐ３を、ねじ等の締結具によりフランジ部７の主面部８に固定することで、本体部５から取り外し可能なものとしてもよい。
【００４７】
また、埋込孔Ｈの開口の形状が帯状に連続している場合は、連結金具を用いて複数の器具本体３を長手方向Ｌに連結し、これを当該帯状の埋込孔Ｈに設置してもよい。この変形例では、器具本体３同士の間の連結部に位置するフランジ部７は省略してもよい。
【００４８】
さらに、埋込孔Ｈ１，Ｈ２，Ｈ３，Ｈｎの長さＬ１，Ｌ２，Ｌ３，Ｌｎが互いに異なる場合は、器具本体３の長手方向Ｌ端部のフランジ部７に、上述の突起Ｐ１，Ｐ２，Ｐ３と同様の突起を形成してもよい。当該突起により、器具本体３の長手方向位置の位置決めを行うことができる。
【００４９】
また、第１実施形態では、幅方向一側及び他側にそれぞれ３つの領域ＲＧ１，ＲＧ２，ＲＧ３が形成されていたが、片側当たり２つ以下または４つ以上の領域が形成されるようにしてもよい。さらに、第１実施形態では、領域ＲＧ１，ＲＧ２，ＲＧ３に、それぞれ２つずつ突起を設けていたが、各領域あたりの突起の数は、１つでもよく、３つ以上でもよい。突起の数は、一つの領域の一側と他側とで異なっていてもよい。
【００５０】
＜第２実施形態＞
次に、図５乃至図８を参照しながら、第２実施形態にかかる埋込型ダウンライト１１について説明する。なお、上記実施形態の構成と同様の構成については、同一の符号を付して説明を省略する。
【００５１】
ダウンライト１１は、図５に示すように、例えば天井面Ｃに設けられた既存の埋込孔Ｈに設置される。埋込孔Ｈは、天井面Ｃを構成する板材に設けられた貫通孔であり、その開口の形状は、例えば円形状等である。円形状の埋込孔Ｈの内径は、特に限定されないが、典型的には、例えば１５０ｍｍ、２００ｍｍ、２５０ｍｍ等の所定の値に設定されている。
【００５２】
ダウンライト１１は、後述するように、互いに内径が異なる３種類の埋込孔Ｈに設置することができる。具体的には、図６及び図７に示すように、内径Ｄ１を有する埋込孔Ｈ４、内径Ｄ２を有する埋込孔Ｈ５、及び、内径Ｄ３を有する埋込孔Ｈ６である。内径Ｄ１，Ｄ２，Ｄ３は、この順に小さくなる（Ｄ１＞Ｄ２＞Ｄ３）。
【００５３】
図５及び図６に示すように、ダウンライト１１は、主として、本体部１２と、光源部１３と、から構成されている。本体部１２は、平面視において円形形状を有している。光源部１３は、器具本体３の径方向中央部に固定され、ＬＥＤ等の光源を備えている。
【００５４】
本体部１２は、例えば金属製の薄板等から構成され、ダウンライト１１の反射板を構成する反射板部１４と、平面視において反射板部１４を取り囲むように設けられたフランジ部１５とを備えている。
【００５５】
反射板部１４の下面（表面）は、本体部１２の径方向中心側に向かうに従って埋込孔Ｈの奥側（上方）に位置するように傾斜している。
【００５６】
フランジ部１５は、本体部１２の中心軸Ｘを含む断面において、反射板部１４の下端縁から径方向外方へ延びている。フランジ部１５は、ダウンライト１１を埋込孔Ｈ４，Ｈ５，Ｈ６に設置した状態において、天井面Ｃと略平行になるように延在している。フランジ部１５の下面（表面）は、意匠面を構成している。
【００５７】
フランジ部１５は、図５及び図７に示すように、主面部１６と、側壁部１７とを有している。主面部１６は、ダウンライト１１を埋込孔Ｈ４，Ｈ５，Ｈ６に設置した状態において、天井面Ｃまたは埋込孔Ｈ４，Ｈ５，Ｈ６の開口面と略平行に延びるように形成されている。側壁部１７は、ダウンライト１１を埋込孔Ｈ４，Ｈ５，Ｈ６に設置した状態において、主面部１６の径方向外側端縁から天井面Ｃに向かう方向（上方）に延びるように形成されている。側壁部１７は、平面視において主面部１６を周方向に取り囲むように設けられている。ダウンライト１１を埋込孔Ｈ４，Ｈ５，Ｈ６に設置したとき、側壁部１７の上端部１７ａは、天井面Ｃに当接し、主面部１６は、埋込孔Ｈ４，Ｈ５，Ｈ６の外側（下側）に位置する。なお、フランジ部１５の形状は、図示したものに限らない。例えば、主面部１６は、ダウンライト１１を埋込孔Ｈ４，Ｈ５，Ｈ６に設置した状態において、天井面Ｃまたは埋込孔Ｈ４，Ｈ５，Ｈ６の開口面に対して傾斜していてもよいし、曲面状であってもよい。
【００５８】
図５に示すように、側壁部１７外周面の径、すなわち、本体部１２の外径Ｄ０は、埋込孔Ｈ４の内径Ｄ１より大きい。よって、本体部１２は、埋込孔Ｈ４に設置されたときに埋込孔Ｈ４を覆うことができる。
【００５９】
フランジ部１５の主面部１６の裏面（上面）は、領域ＲＧ４と領域ＲＧ５と領域ＲＧ６とを含んでいる。領域ＲＧ４，ＲＧ５，ＲＧ６は、各々フランジ部１５の周方向に沿って延びる環状の領域である。領域ＲＧ４は、領域ＲＧ５より径方向外側に、領域ＲＧ５と隣接して設けられており、領域ＲＧ５は、領域ＲＧ６より径方向外側に、領域ＲＧ６と隣接して設けられている。
【００６０】
領域ＲＧ４は、ダウンライト１１が埋込孔Ｈ４に設置されたときに埋込孔Ｈ４の開口と上下方向に対向する一方で、ダウンライト１１が埋込孔Ｈ５，Ｈ６に設置されたときに、それぞれ埋込孔Ｈ５，Ｈ６の周縁部の下面と上下方向に対向する。領域ＲＧ５は、ダウンライト１１が埋込孔Ｈ４，Ｈ５に設置されたときに、それぞれ埋込孔Ｈ４，Ｈ５の開口と上下方向に対向する一方で、ダウンライト１１が埋込孔Ｈ６に設置されたときに埋込孔Ｈ６の周縁部の下面と上下方向に対向する。領域ＲＧ６は、ダウンライト１１が埋込孔Ｈ４，Ｈ５，Ｈ６に設置されたときに、それぞれ埋込孔Ｈ４，Ｈ５，Ｈ６の開口と上下方向に対向する。
【００６１】
図６に示すように、領域ＲＧ４には、突起Ｐ４が複数立設され、領域ＲＧ５には、突起Ｐ５が複数立設され、領域ＲＧ６には、突起Ｐ６が複数立設されている。突起Ｐ４は、領域ＲＧ４の周方向に等間隔な３つの位置に一対ずつ（計６つ）設けられている。突起Ｐ５は、領域ＲＧ５の周方向に等間隔な３つの位置に一対ずつ（計６つ）設けられている。突起Ｐ６は、領域ＲＧ６の周方向に等間隔な３つの位置に一対ずつ（計６つ）設けられている。各位置には、後述する板ばね２０が各一枚ずつ（計３枚）取り付けられている。
【００６２】
突起Ｐ４と突起Ｐ５と突起Ｐ６とは、径方向に互いに隣り合うように配置されている。
【００６３】
突起Ｐ４，Ｐ５，Ｐ６は、それぞれ板状であり、各々、平面視において本体部１２の径方向に沿って延びている。各位置の一対の突起Ｐ４は、平面視において互いに略平行になるように配置されている。各位置の一対の突起Ｐ５は、平面視において互いに略平行になるように配置され、各位置の一対の突起Ｐ６も、平面視において互いに略平行になるように配置されている。
【００６４】
図７（ａ）に示すように、突起Ｐ４は、ダウンライト１１が埋込孔Ｈ４に設置されたときに埋込孔Ｈ４の内部に進入可能な高さｈ２を有している。図７（ｂ）（ｃ）に示すように、突起Ｐ５は、ダウンライト１１が埋込孔Ｈ５に設置されたときに埋込孔Ｈ５の内部に進入可能な高さｈ２を、突起Ｐ６は、ダウンライト１１が埋込孔Ｈ６に設置されたときに埋込孔Ｈ６の内部に進入可能な高さｈ２を有している。突起Ｐ４，Ｐ５，Ｐ６が折り曲げられていない状態において、それらの上端部は、側壁部１７の上端部１７ａよりも上方に突出している。
【００６５】
図７(ａ)に示すように、突起Ｐ４の径方向外側端から本体部１２の径方向中心（中心軸Ｘ）までの距離ＤＲ１は、埋込孔Ｈ４の半径Ｒ１に対応している。突起Ｐ４は、ダウンライト１１が埋込孔Ｈ４に設置されたとき、突起Ｐ４の径方向外側端と埋込孔Ｈ４の内周面との間に各部材の寸法誤差を吸収するための所定の隙間ＧＲ１が形成されるように配置されている。
【００６６】
図７（ｂ）に示すように、突起Ｐ５の径方向外側端から本体部１２の径方向中心（中心軸Ｘ）までの距離ＤＲ２は、埋込孔Ｈ５の半径Ｒ２に対応している。各突起Ｐ５は、ダウンライト１１が埋込孔Ｈ５に設置されたとき、突起Ｐ５の径方向外側端と埋込孔Ｈ５の内周面との間に各部材の寸法誤差を吸収するための所定の隙間ＧＲ２が形成されるように配置されている。
【００６７】
図７（ｃ）に示すように、突起Ｐ６の径方向外側端から本体部１２の径方向中心（中心軸Ｘ）までの距離ＤＲ３は、埋込孔Ｈ６の半径Ｒ３に対応している。突起Ｐ６は、ダウンライト１１が埋込孔Ｈ６に設置されたとき、突起Ｐ６の径方向外側端と埋込孔Ｈ６の内周面との間に各部材の寸法誤差を吸収するための所定の隙間ＧＲ３が形成されるように配置されている。
【００６８】
従って、突起Ｐ４は、ダウンライト１１を埋込孔Ｈ４に設置する場合の径方向位置をガイドする位置決めガイドとして機能する。突起Ｐ５，Ｐ６は、それぞれ埋込孔Ｈ５，Ｈ６にダウンライト１１を設置する場合の径方向位置をガイドする位置決めガイドとして機能する。
【００６９】
突起Ｐ４，Ｐ５，Ｐ６は、第１実施形態の突起Ｐ１，Ｐ２，Ｐ３と同様の構成を有しており、手でまたはペンチ等の工具を使用して径方向と直交する方向に折り曲げ可能である。
【００７０】
突起Ｐ４，Ｐ５，Ｐ６の高さは、折り曲げられた状態では、側壁部１７より低くなる。図７（ｂ）（ｃ）に示すように、折り曲げた状態の突起Ｐ４は、埋込孔Ｈ５，Ｈ６の周縁部と干渉せず、折り曲げた状態の突起Ｐ５は、埋込孔Ｈ６の周縁部と干渉しない。
【００７１】
図５、図６及び図８に示すように、一対の突起Ｐ４には、ダウンライト１１を埋込孔Ｈ４に固定するための板ばね２０が、着脱可能に取り付けられている。板ばね２０は、例えばステンレス鋼板製である。ダウンライト１１が埋込孔Ｈ４に設置されたとき、板ばね２０は、先端部がより径方向内側に位置するように弾性的に撓んだ状態で、埋込孔Ｈ４の上側周縁部Ｈ４ａ（図５参照）に対して径方向外方かつ下方向きの付勢力を付与する。
【００７２】
図８に示すように、板ばね２０の基端部には、板ばね２０を一対の突起Ｐ４に固定するための取付金具２１が設けられている。取付金具２１は、平面視コ字状の形状を有しており、一対の突起Ｐ４と略平行に配置される一対の側壁２１ａと、両側壁２１ａを連結する連結壁２１ｂとを備えている。各側壁２１ａには、雌ねじ孔２１ｃが設けられており、雌ねじ孔２１ｃには、抜け止めねじ２２がねじ込まれている。突起Ｐ４には、貫通孔Ｐｈが設けられており、抜け止めねじ２２の先端が貫通孔Ｐｈを貫通している。これにより、板ばね２０の抜け止めがなされる。なお、抜け止めの方法は、図示したものに限らず、例えば、取付金具２１の一対の側壁２１ａにも貫通孔を設け、これらの貫通孔と突起Ｐ４の２つの貫通孔Ｐｈとに一本のボルトを通し、その先端にナットを螺合させてもよい。
【００７３】
板ばね２０は、抜け止めねじ２２を外すことで突起Ｐ４から取り外すことができる。突起Ｐ５，Ｐ６にも、突起Ｐ４の貫通孔Ｐｈと同じ位置に貫通孔Ｐｈが設けられている。取り外した板ばね２０の取付金具２１を突起Ｐ５または突起Ｐ６にはめ込み、抜け止めねじ２２を雌ねじ孔２１ｃにねじ込むことで、板ばね２０を、突起Ｐ５または突起Ｐ６に付け替えることができる。
【００７４】
天井面Ｃの埋込孔Ｈ４にダウンライト１１を設置する場合は、まず、天井面Ｃを構成する板材の裏側に設置した図示しない電源ユニットに電源線等を接続する。そして、３枚の板ばね２０を先端部が埋込孔Ｈ４より径方向内側に位置するように撓ませた状態で、ダウンライト１１を下方から埋込孔Ｈ４に挿入し、フランジ部１５が埋込孔Ｈ４の周縁部の下面に当たるまで押し込む。
【００７５】
埋込孔Ｈ５にダウンライト１１を設置する場合は、突起Ｐ４から板ばね２０を取り外し、取り外した板ばね２０を突起Ｐ５に取り付けてから、突起Ｐ４を折り曲げる。埋込孔Ｈ６にダウンライト１１を設置する場合は、突起Ｐ４から板ばね２０を取り外し、取り外した板ばね２０を突起Ｐ６に取り付けてから、突起Ｐ４及び突起Ｐ５を折り曲げる。他の手順は、埋込孔Ｈ４に設置する場合と同様であるので説明を省略する。
【００７６】
以下、本実施形態の作用効果について説明する。
【００７７】
ダウンライト１１が埋込孔Ｈ４に挿入されると、領域ＲＧ４に立設された突起Ｐ４が埋込孔Ｈ４の内部に進入する。突起Ｐ４の径方向外側端から本体部１２の径方向中心（中心軸Ｘ）までの距離ＤＲ１は、埋込孔Ｈ４の半径Ｒ１に対応しているので、埋込孔Ｈ４に対する本体部１２の径方向位置の位置決めを突起Ｐ４によって行うことができる。
【００７８】
また、突起Ｐ４は、ダウンライト１１が埋込孔Ｈ５，Ｈ６に設置されたときに埋込孔Ｈ５，Ｈ６の周縁部と干渉しない高さになるまで折り曲げ可能である。従って、本実施形態によれば、突起Ｐ４を折り曲げることで、より内径が小さい埋込孔にダウンライト１１を設置することが可能になる。
【００７９】
このように、本実施形態によれば、リニューアルプレートを使用することなく、内径の異なる埋込孔Ｈに共通してダウンライト１１を設置することが可能になるので、部品点数を削減することができる。また、リニューアル工事において、リニューアルプレートを予め既存の埋込孔Ｈまたは本体部１２に取り付けておく必要もなくなるので、施工時間を短縮することができる。これにより、リニューアルにかかるコストを低減することができる。また、天井面Ｃとダウンライト１１の本体部１２との間にリニューアルプレートが介在しなくなるので、設置後の意匠性も向上する。
【００８０】
また、本実施形態によれば、突起Ｐ４を折り曲げれば、突起Ｐ５により、埋込孔Ｈ５に対する本体部１２の径方向位置の位置決めを行うことができる。また、突起Ｐ５を折り曲げることで、より内径が小さい埋込孔Ｈ６にもダウンライト１１を設置することができる。同様に、突起Ｐ４及び突起Ｐ５を折り曲げれば、突起Ｐ６により、埋込孔Ｈ６に対する本体部１２の径方向位置の位置決めを行うことができる。
【００８１】
さらに、本実施形態では、板ばね２０を突起Ｐ４，Ｐ５，Ｐ６のいずれかに取り付け、不要な突起を折り曲げることができる。ばね固定式のダウンライト１１の本体部１２を現場で簡単に既存の埋込孔Ｈに適合させることができるので、現場合わせが容易になり、施工性が向上する。これにより、事前の現場調査を簡略化または省略できる。
【００８２】
また、本実施形態にかかるダウンライト１１は、内径が異なる複数種類の埋込孔Ｈ４，Ｈ５，Ｈ６に共通して設置できるので、複数種類の埋込孔において光源部１３を共通化してコストを抑えることができる。
【００８３】
また、本実施形態では、突起Ｐ４，Ｐ５，Ｐ６は、それぞれ板状であり、各々、本体部１２の径方向に沿って延びている。従って、突起Ｐ４，Ｐ５，Ｐ６の径方向と直交する方向への折り曲げが容易になる。また、突起Ｐ４，Ｐ５，Ｐ６の径方向の荷重に対する強度が向上するため、施工時の位置決め作業において突起Ｐ４，Ｐ５，Ｐ６が破損することを防止することができる。
【００８４】
さらに、本実施形態では、突起Ｐ４，Ｐ５，Ｐ６が、互いに本体部１２の径方向に隣り合って配置されている。これにより、端から何番目の突起が折り曲げられているかを目視で容易に把握することができるので、現場合わせの際の作業効率が向上する。
【００８５】
＜変形例＞
突起Ｐ４，Ｐ５，Ｐ６は、手でまたはペンチ等の工具を使用して本体部１２から取り外すことが可能なものとしてもよい。このような変形例においても、第２実施形態と同様の作用効果を得ることができる。この変形例にかかる突起Ｐ４，Ｐ５，Ｐ６は、例えば、第１実施形態の変形例における、本体部５から取り外し可能な突起Ｐ１，Ｐ２，Ｐ３から構成することができる。
【００８６】
また、第２実施形態では、フランジ部１５の主面部１６に３つの領域ＲＧ４，ＲＧ５，ＲＧ６が形成されていたが、２つ以下または４つ以上の領域が形成されるようにしてもよい。さらに、第２実施形態では、各領域において互いに周方向に１２０°離れた３つの位置に一対ずつ突起を設けていたが、一対の突起は、周方向に１８０°離れた２つの位置に設けてもよく、周方向に等間隔で離間した４つ以上の位置に設けてもよい。また、各位置の周方向の間隔は、等しくなくてもよい。
【００８７】
さらに、第２実施形態のダウンライト１１は、ばね固定式であったが、天井面Ｃへの固定方法は、スライド式、吊りボルト式など他の方式であってもよい。他の方式の場合でも、上述のフランジ部１５及び突起Ｐ４，Ｐ５，Ｐ６（板ばね２０は省略）を採用することで、内径が異なる複数種類の埋込孔Ｈに共通のダウンライトを設置することが可能になる。
【００８８】
また、第２実施形態のダウンライト１１の埋込孔Ｈは円形状であったが、埋込孔Ｈの開口の形状は、例えば、矩形状など多角形状であってもよい。この場合、平面視におけるフランジ部１５の形状を当該多角形状とし、その端縁近傍部に上記突起Ｐ４，Ｐ５，Ｐ６及び板ばね２０を設けてもよい。
【００８９】
以上、説明した通り、第１実施形態及びその変形例は、埋込孔Ｈ１と埋込孔Ｈ１より幅寸法が小さい埋込孔Ｈ２，Ｈ３，Ｈｎとに設置可能な埋込型ベースライト１の器具本体３である。器具本体３は、光源ユニット２を保持するための保持部４と、埋込孔Ｈ１の幅寸法Ｗ１より大きな幅Ｗ０を有し、器具本体３が埋込孔Ｈ１に設置されたときに埋込孔Ｈ１を覆う本体部５と、を備えている。本体部５の幅方向Ｗの一側及び他側の端縁近傍部には、器具本体３が埋込孔Ｈ１に設置されたときに埋込孔Ｈ１の内部に進入可能な高さｈ１を有する突起Ｐ１が少なくとも一つずつ立設されている。一側における突起Ｐ１の幅方向外側端と、他側における突起Ｐ１の幅方向外側端との間の幅方向Ｗにおける距離ＤＷ１は、埋込孔Ｈ１の幅寸法Ｗ１に対応している。突起Ｐ１は、各々、器具本体３が埋込孔Ｈ２，Ｈ３，Ｈｎに設置されたときに埋込孔Ｈ２，Ｈ３，Ｈｎの周縁部に干渉しない高さになるまで折り曲げ可能、または、本体部５から取り外し可能である。
【００９０】
一側及び他側の端縁近傍部における突起Ｐ１より幅方向内側の位置には、器具本体３が埋込孔Ｈ２に設置されたときに埋込孔Ｈ２の内部に進入可能な高さｈ１を有する突起Ｐ２が少なくとも１つずつ立設されている。一側における突起Ｐ２の幅方向外側端と、他側における突起Ｐ２の幅方向外側端との間の幅方向Ｗにおける距離ＤＷ２は、埋込孔Ｈ２の幅寸法Ｗ２に対応している。突起Ｐ２は、各々、器具本体３が埋込孔Ｈ２より幅寸法が小さい埋込孔Ｈ３に設置されたときに埋込孔Ｈ３の周縁部に干渉しない高さになるまで折り曲げ可能、または、本体部５から取り外し可能である。
【００９１】
また、一側及び他側の端縁近傍部における突起Ｐ１より幅方向内側の位置には、器具本体３が埋込孔Ｈ３に設置されたときに埋込孔Ｈ３の内部に進入可能な高さｈ１を有する突起Ｐ３が少なくとも１つずつ立設されている。一側における突起Ｐ３の幅方向外側端と、他側における突起Ｐ３の幅方向外側端との間の幅方向Ｗにおける距離ＤＷ３は、埋込孔Ｈ３の幅寸法Ｗ３に対応している。突起Ｐ３は、各々、器具本体３が埋込孔Ｈ３より幅寸法が小さい埋込孔Ｈｎに設置されたときに埋込孔Ｈｎの周縁部に干渉しない高さになるまで折り曲げ可能、または、本体部５から取り外し可能である。
【００９２】
突起Ｐ１，Ｐ２，Ｐ３は、各々、本体部５の幅方向Ｗに沿って延びる板状である。突起Ｐ１と突起Ｐ２と突起Ｐ３とが、本体部５の幅方向Ｗに互いに隣り合って配置されている。
【００９３】
第２実施形態及びその変形例は、埋込孔Ｈ４と埋込孔Ｈ４より内径が小さい埋込孔Ｈ５，Ｈ６とに設置可能な埋込型のダウンライト１１である。ダウンライト１１は、埋込孔Ｈ４の内径Ｄ１より大きい外径Ｄ０を有し、埋込孔Ｈ４に設置されたときに埋込孔Ｈ４を覆う本体部１２と、本体部１２に固定された光源部１３と、を備えている。本体部１２の径方向外側の端縁近傍部には、ダウンライト１１が埋込孔Ｈ４に設置されたときに埋込孔Ｈ４の内部に進入可能な高さｈ２を有する突起Ｐ４が、本体部１２の周方向に間隔をあけて複数立設されている。各突起Ｐ４の径方向外側端から本体部１２の中心軸Ｘまでの距離ＤＲ１は、埋込孔Ｈ４の半径Ｒ１に対応している。突起Ｐ４は、各々、ダウンライト１１が埋込孔Ｈ５，Ｈ６に設置されたときに埋込孔Ｈ５，Ｈ６の周縁部と干渉しない高さになるまで折り曲げ可能、または、本体部１２から取り外し可能である。
【００９４】
端縁近傍部における突起Ｐ４より径方向内側の位置には、ダウンライト１１が埋込孔Ｈ５に設置されたときに埋込孔Ｈ５の内部に進入可能な高さｈ２を有する突起Ｐ５が、本体部１２の周方向に間隔をあけて複数立設されている。各突起Ｐ５の径方向外側端から本体部１２の中心軸Ｘまでの距離ＤＲ２は、埋込孔Ｈ５の半径Ｒ２に対応している。突起Ｐ５は、各々、ダウンライト１１が埋込孔Ｈ５より内径が小さい埋込孔Ｈ６に設置されたときに埋込孔Ｈ６の周縁部に干渉しない高さになるまで折り曲げ可能、または、本体部１２から取り外し可能である。
【００９５】
突起Ｐ４，Ｐ５は、各々、本体部１２の径方向に沿って延びる板状である。突起Ｐ４と突起Ｐ５とが、本体部１２の径方向に互いに隣り合って配置されている。
【００９６】
埋込孔Ｈ４または埋込孔Ｈ５にダウンライト１１を固定するための板ばね２０が、突起Ｐ４または突起Ｐ５に着脱可能に取り付けられている。
【００９７】
本開示の技術的範囲は、上記実施形態で開示した具体的な技術事項に限らず、そこから容易に導きうる様々な変形、変更、代替技術なども含むものである。
【符号の説明】
【００９８】
１  埋込型ベースライト（照明器具）
２  光源ユニット
３  器具本体
４  保持部
５  本体部
８  主面部（端縁近傍部）
Ｐ１，Ｐ２，Ｐ３  突起
Ｗ  幅方向
ＤＷ１，ＤＷ２，ＤＷ３  距離
Ｈ１，Ｈ２，Ｈ３，Ｈｎ  埋込孔
Ｗ１，Ｗ２，Ｗ３，Ｗｎ  幅寸法
１１  埋込型ダウンライト（照明器具）
１２  本体部
１３  光源部
１６  主面部（端縁近傍部）
２０  板ばね
Ｐ４，Ｐ５，Ｐ６  突起
Ｘ  中心軸
ＤＲ１，ＤＲ２，ＤＲ３  距離
Ｈ４，Ｈ５，Ｈ６  埋込孔
Ｄ１，Ｄ２，Ｄ３  内径
Ｒ１，Ｒ２，Ｒ３  半径
【図１】
2019016552.tif 000003
【図２】
2019016552.tif 000004
【図３】
2019016552.tif 000005
【図４】
2019016552.tif 000006
【図５】
2019016552.tif 000007
【図６】
2019016552.tif 000008
【図７】
2019016552.tif 000009
【図８】
2019016552.tif 000010